(57)【要約】      （修正有）【課題】脱臭効果を奏する数センチ程度から数ミリ程度の大きさの凝灰岩片を脱臭フィルタに用いるのに好適な脱臭装置を提供する。【解決手段】脱臭装置１は、複数の脱臭フィルタ５ａ，５ｂ，５ｃと、これら脱臭フィルタ５ａ，５ｂ，５ｃが装着される本体部３とを備えている。各脱臭フィルタ５ａ，５ｂ，５ｃは、脱臭効果を奏する複数の凝灰岩片５１と、これら凝灰岩片５１を収納する容器５３とを備えている。容器５３の平らな上部と底部の各々には、空気を通過させる通気手段が形成されている。本体部３は、筐体３１とその内に設けられた送風手段とを備えており、筐体３１は、複数の第１通気口が形成された平らな上部と、複数の第２通気口３９が形成された側部３７とを有している。複数の脱臭フィルタ５ａ，５ｂ，５ｃは、筐体３１の上部３３に積み重ねられて載置される。【選択図】図１
0003166600.tif 000002
【実用新案登録請求の範囲】
【請求項１】
複数の脱臭フィルタと、前記複数の脱臭フィルタが装着される本体部とを備えた脱臭装置において、
前記複数の脱臭フィルタの各々は、脱臭効果を奏する複数の凝灰岩片と、前記複数の凝灰岩片を収納する容器とを備えており、
前記容器の上部と底部とには、空気を通過させる通気手段が形成されており、
前記本体部は、筐体と、前記筐体内に設けられた送風手段とを備えており、
前記筐体は、複数の第１通気口が形成された上部と、複数の第２通気口が形成された側部とを有しており、
前記送風手段は、前記複数の第２通気口から前記筐体内を通って複数の第１通気口に向かう、又は、前記複数の第１通気口から前記筐体内を通って複数の第２通気口に向かう空気の流れを生成し、
前記複数の脱臭フィルタは、前記筐体の前記上部に積み重ねられて載置されることを特徴とする脱臭装置。
【請求項２】
前記複数の脱臭フィルタの各々は、その脱臭フィルタと、その脱臭フィルタが載置される脱臭フィルタ又は前記本体部とを連結する連結手段を備える、請求項１に記載の脱臭装置。
【請求項３】
前記通気手段は、前記容器の前記上部及び前記底部に形成された複数の網目、開口又はスリットである、請求項１又は請求項２に記載の脱臭装置。
【考案の詳細な説明】
【技術分野】
【０００１】
本考案は、脱臭効果を奏する凝灰岩を用いた脱臭フィルタを備える脱臭装置に関する。
【背景技術】
【０００２】
多孔質凝灰岩の一種である麦飯石は、空気中の臭気成分である分子を吸着する脱臭又は消臭効果を奏することが知られており、特開２００３−２４４２１号公報では、この脱臭効果を利用した脱臭フィルタと、当該脱臭フィルタを備えることで脱臭機能を有する空気清浄機が提案されている。
【０００３】
特開２００３−２４４２１号公報で提案されている空気清浄機では、鉛直方向に沿って配置された板状の脱臭フィルタが、空気清浄機の筐体内部にてその前面側に配置されており、筐体の前面と背面には、空気が通る吸引口と排出口が夫々開けられている。空気清浄機の筐体内部にてその背面側には、ファンが配置されており、前面から背面への空気の流れを生じさせる(特開２００３−２４４２１号公報の図６参照)。空気清浄機の前面の吸引口から流入した空気は、脱臭フィルタを通過することで脱臭され、さらにはその背後に設けられた防塵フィルタを通って浄化されて、空気清浄機の背面の排出口から排出される。
【先行技術文献】
【特許文献】
【０００４】
【特許文献１】特開２００３−２４４２１号公報
【考案の概要】
【考案が解決しようとする課題】
【０００５】
麦飯石を用いた脱臭装置において脱臭効果を高めるという点では、砂状、顆粒状又は粉末状にした麦飯石を脱臭フィルタに用いることが好ましい。しかしながら、麦飯石を砂状、顆粒状又は粉末状にして、麦飯石が外部に漏れないように、例えば、通気可能な袋体に封入し、且つ取り扱い容易なように一定の形状(例えば、板状の形状)を有するように脱臭フィルタを作製すると、脱臭装置の製造コストが高くなる。
【０００６】
製造コストの面では、数センチ程度から数ミリ程度の大きさを有する麦飯石を、脱臭装置の脱臭フィルタに用いることが好ましい。しかしながら、このような大きさの多数の麦飯石を脱臭装置の脱臭フィルタに用いると、脱臭フィルタが重くなり、且つ、脱臭フィルタの厚みも増すことになる。故に、このような構成を採用すると、例えば板状に脱臭フィルタを構成して、上述の空気清浄機のように鉛直方向に沿って脱臭フィルタを配置することは困難になる。
【０００７】
本考案は、上記の問題を解決して、脱臭効果を奏する数センチ程度から数ミリ程度の大きさの凝灰岩片を脱臭フィルタに用いるのに好適な脱臭装置を提供する。
【課題を解決するための手段】
【０００８】
本考案は、複数の脱臭フィルタと、前記複数の脱臭フィルタが装着される本体部とを備えた脱臭装置において、前記複数の脱臭フィルタの各々は、脱臭効果を奏する複数の凝灰岩片と、前記複数の凝灰岩片を収納する容器とを備えており、前記容器の上部と底部とには、空気を通過させる通気手段が形成されており、前記本体部は、筐体と、前記筐体内に設けられた送風手段とを備えており、前記筐体は、複数の第１通気口が形成された上部と、複数の第２通気口が形成された側部とを有しており、前記送風手段は、前記複数の第２通気口から前記筐体内を通って複数の第１通気口に向かう、又は、前記複数の第１通気口から前記筐体内を通って複数の第２通気口に向かう空気の流れを生成し、前記複数の脱臭フィルタは、前記筐体の前記上部に積み重ねられて載置されることを特徴とする。
【０００９】
本考案の脱臭装置では、前記複数の脱臭フィルタの各々は、その脱臭フィルタと、その脱臭フィルタが載置される脱臭フィルタ又は前記本体部とを連結する連結手段を備えるのが好ましく、前記通気手段は、前記容器の前記上部及び前記底部に形成された複数の網目、開口又はスリットであってよい。
【考案の効果】
【００１０】
本考案の脱臭装置では、筒状又は箱状の容器に複数の凝灰岩片を収納することで脱臭フィルタを構成すると共に、このような脱臭フィルタが、脱臭装置の本体部の上面に積み重ねられる。これにより、数センチ程度から数ミリ程度の多数の凝灰岩片を収納することで脱臭フィルタが重くなっても、脱臭装置への脱臭フィルタの設置が容易に行える。
【図面の簡単な説明】
【００１１】
【図１】本考案の一実施例である脱臭装置を示す斜視図である。
【図２】本考案の一実施例である脱臭装置を示す分解斜視図であって、一部が破断されている。
【図３】本考案の一実施例である脱臭装置で使用される容器を示す斜視図である。
【図４】本考案の一実施例である脱臭装置を示す斜視図である。
【考案を実施するための形態】
【００１２】
以下、本考案の一実施例である脱臭装置(1)について、添付の図面を参照して説明する。図１及び図２に示すように、脱臭装置(1)は、略円筒状の筐体(31)を備えた本体部(3)と、本体部(3)に装着される略円筒状の３個の脱臭フィルタ(5a)(5b)(5c)とを備えている。筐体(31)は、例えば合成樹脂製であって、筐体(31)の上部(33)は、平らで且つ水平になっており、放射状に配置された略矩形の複数の第１スリット(35)が形成されている。筐体(31)の側部(37)には、略矩形の複数の第２スリット(39)が鉛直方向に沿って形成されている。
【００１３】
図２に示すように、筐体(31)の内部には、送風手段、つまり、モータ(41)と、モータ(41)の回転軸に固定されたプロペラ(43)とが設けられている。図示を省略した給電手段(例えば、バッテリや１００Ｖの家庭用電源)からモータ(41)に給電されると、上方に送風するようにプロペラ(43)が回転する。これにより、第２スリット(39)を介して筐体(31)の外部から内部に空気が流入して、第１スリット(35)を介して筐体(31)の外部に排出される。
【００１４】
図１に示すように、筐体(31)の上部(33)には、複数の脱臭フィルタ(5a)(5b)(5c)が積み重ねられる。各脱臭フィルタ(5a)(5b)(5c)は、複数(又は多数)の凝灰岩片(51)と、これら凝灰岩片(51)を格納する容器(53)とを備えている。凝灰岩片(51)は、脱臭機能を有する多孔質凝灰岩であって、その大きさは、数センチ程度から数ミリ程度にされる。本実施例では、脱臭フィルタ(5a)(5b)(5c)内の個々の凝灰岩片(51)の大きさは数センチ程度にされている。なお、本実施例では、凝灰岩片(51)として麦飯石が用いられているが、脱臭機能を有するその他の多孔質凝灰岩、例えば大谷石が使用されてもよい。
【００１５】
図３に示すように、容器(53)は、有底筒状の籠体(55)と、その上に装着される略円形の蓋体(57)とを備えている。籠体(55)は、金属製の第１リング(59)と第２リング(61)とを備えており、第１リング(59)と、第１リング(59)内で編まれた複数の針金とにより、容器(53)の平らで網状の底部が構成されている。また、第１リング(59)と、その上方に配置される第２リング(61)と、第１リング(59)と第２リング(61)との間で編まれた複数の針金とにより、容器(53)の網状の側部が構成されている。なお、図１及び図２(及び図４)では、簡単のため、容器(53)の網目構造の一部を省略して描画している。
【００１６】
容器(53)の蓋体(57)は、金属製の第３リング(63)と、第３リング(63)内で編まれた複数の針金とを備えており、容器(53)の平らな上部を構成する。実施例では、小さな連結用リング(65)を介して、容器(53)の第２リング(61)と、蓋体(57)の第３リング(63)とが連結されることで、蓋体(57)は、籠体(55)に開閉自在に取り付けられている。図３に示すように蓋体(57)が開けられた状態で、適度な数の凝灰岩片(51)が籠体(55)の中に入れられる。その後、籠体(55)の上側を蓋体(57)で閉じると共に、容器(53)の第２リング(61)と蓋体(57)の第３リング(63)とを挟む小さなクリップ(67)を用いて蓋体(57)が籠体(55)に固定されることで、図２に示すように、脱臭フィルタ(5a)(5b)(5c)が脱臭装置(1)に装着可能な状態に構成される。蓋体(57)が閉じられると、蓋体(57)と籠体(55)の底部とは平行に配置される。なお、クリップ(67)以外の適当な固定手段を用いて、蓋体(57)が籠体(55)に固定されてよい。
【００１７】
容器(53)は、容器(53)の内部が凝灰岩片(51)で満たされても容器(53)の形状を保持できる剛性を有しており、使用者が凝灰岩片(51)を格納した容器(53)、つまり各脱臭フィルタ(5a)(5b)(5c)を持ち運ぶ際に、凝灰岩片(51)の重さで脱臭フィルタ(5a)(5b)(5c)が過度に変形しないようにされている。
【００１８】
積み重ねられた３個の脱臭フィルタ(5a)(5b)(5c)において、上下に隣接する脱臭フィルタ同士は、連結手段を用いて連結される。本実施例では、連結手段として、両端に金属製のフックが付いた複数のゴムバンド(69)が使用されている。各ゴムバンド(69)の一方のフックが、上側の脱臭フィルタの側部の網目(針金)の交差部に係止され、他方のフックが、ゴムバンド(69)が引っ張られた状態で下側の脱臭フィルタの側部の網目(針金)の交差部に係止されることで、上下に隣接する脱臭フィルタは連結される。なお、複数のゴムバンド(69)は、連結する脱臭フィルタに対して対称性を有するように配置される。図１では、連結される一組の脱臭フィルタに対して、２個のゴムバンド(69)が使用されており、連結される脱臭フィルタの容器(53)の蓋体(57)と容器(53)の底部の中心を通る垂直線(図示せず)を挟んで対向するように配置されている。
【００１９】
本実施例では、脱臭装置(1)とその上部(33)に直接載置される脱臭フィルタ(5a)とも、２個のゴムバンド(69)を使用して連結される。筐体(31)の側部(37)には、鉛直方向に沿った筐体(31)の中心線を挟んで対向するように２つの切り欠き(45)が形成されている。各ゴムバンド(69)の一方のフックは、脱臭フィルタ(5a)の側部の網目(針金)の交差部に係止され、他方のフックは、ゴムバンド(69)が引っ張られた状態で筐体(31)の側部(37)に設けられた切り欠き(45)に係止される。
【００２０】
本実施例では、脱臭フィルタ(5a)(5b)(5c)の連結手段と、脱臭フィルタ(5a)と本体部(3)の連結手段として、両端にフックを有するゴムバンド(69)が使用されているが、クリップ、磁石や面ファスナなどのその他の連結手段が使用されてよい。なお、特段の問題が生じない場合には、連結手段を用いることなく、脱臭フィルタ(5a)(5b)(5c)を本体部(3)に積み重ねてもよい。本実施例では、脱臭フィルタ(5a)(5b)(5c)に、大きさが数センチ程度の複数の凝灰岩片(51)が格納されているので、脱臭フィルタ(5a)(5b)(5c)の各々は比較的重くなっている。故に、連結手段を用いることなく脱臭フィルタ(5a)(5b)(5c)を本体部(3)上に積み重ねても、多少の衝撃に対しては脱臭フィルタ(5a)(5b)(5c)は本体部(3)上に安定的に配置される。
【００２１】
脱臭フィルタ(5a)(5b)(5c)が本体部(3)に積み重ねられた状態で、本体部(3)の筐体(31)内のプロペラ(43)が回転すると、複数の第２スリット(39)から筐体(31)内に流入した空気は、複数の第１スリット(35)を通って脱臭フィルタ(5a)、脱臭フィルタ(5b)、さらには、脱臭フィルタ(5c)へと送られる。個々の脱臭フィルタ(5a)(5b)(5c)に送られた空気は、下側の網目を通って脱臭フィルタ(5a)(5b)(5c)内に入って、凝灰岩片(51)の作用により脱臭され、上側の網目を取って脱臭フィルタ(5a)(5b)(5c)外に排出される。本実施例では３個の脱臭フィルタ(5a)(5b)(5c)が設けられているので、本体部(3)から排出された空気は、これら３個の脱臭フィルタ(5a)(5b)(5c)で脱臭されて、最上の脱臭フィルタ(5c)の上部から排出される。なお、本実施例では、脱臭フィルタ(5a)(5b)(5c)の側部が網目構造を有しているので、これらの側部からも空気が排出されるであろう。
【００２２】
本体部(3)に装着される脱臭フィルタ(5a)(5b)(5c)の数は、脱臭装置(1)が使用される環境や状況に応じて適宜されてよい。例えば、トイレやゴミ集積所などの臭いが強いところで使用される場合、脱臭装置(1)は、図１に示すように３個の脱臭フィルタ(5a)(5b)(5c)が装着された状態で使用されるのが好ましい(４個以上の脱臭フィルタを用いることも可能である)。また、例えば、空気中の臭いが弱い居室で使用される場合には、脱臭装置(1)は、図４に示すように１個の脱臭フィルタ(5a)が装着された状態で使用されてもよい。なお、本実施例の脱臭装置(1)は、４個以上の脱臭フィルタも装着可能である。本考案において、本体部(3)に装着される脱臭フィルタ(5a)(5b)(5c)の数は特に限定されないことは、本明細書の説明から理解できるであろう。
【００２３】
本実施例において、脱臭フィルタ(5a)(5b)(5c)の容器(53)の網目と、容器(53)に格納される凝灰岩片(51)の大きさとは、網目を通って凝灰岩片(51)が容器(53)の外に出ないように調整されるのは当然である。本実施例の脱臭装置(1)では、容器(53)の籠体(55)及び蓋体(57)を金属製のリング(59)(61)(63)と針金を用いて作製しているが、例えば竹製の部材を用いて、籠体(55)及び蓋体(57)が作製されてもよい。
【００２４】
本考案では、例えば、筒状や箱状の木製や合成樹脂製の容器が脱臭フィルタ(5a)(5b)(5c)に使用されてよく、この場合、容器の上部と底部には、脱臭フィルタ(5a)(5b)(5c)の通気手段として複数のスリットや開口などが形成される。例えば、スリット又は開口を通気手段とした場合、脱臭フィルタ(5a)(5b)(5c)の上部に形成されたスリット又は開口は、その上に載置される脱臭フィルタ(5a)(5b)(5c)の底部に形成されたスリット又は開口と重なるように位置決めする必要がある。更に、筐体(31)の上部(33)の第１スリット(35)が、その上部(33)の上に配置された脱臭フィルタのスリット又は開口と重なるように位置決めする必要もある。本実施例では、容器(53)の上部と底部とは針金を用いて網状に形成されているので、このような位置決めは不要である。なお、本実施例の脱臭装置(1)では、容器(53)の側部も網状に形成されているが、容器(53)の側部は通気可能に形成されなくともよい。また、容器(53)の形状は、本考案の作用効果を得られる限りにおいて特に限定されないが、円筒状か(多角形の)矩形筒状にされるのが好ましいであろう。
【００２５】
上述の実施例では、プロペラ(43)が回転すると、第２スリット(39)を介して筐体(31)の外部から内部に空気が流入して、第１スリット(35)を介して筐体(31)の外部に排出されているが、プロペラ(43)の回転の向きが逆にされて、第１スリット(35)を介して筐体(31)の外部から内部に空気が流入して、第２スリット(39)を介して筐体(31)の外部に排出されてもよい。
【００２６】
上記実施例の説明は、本考案を説明するためのものであって、実用新案登録請求の範囲に記載の考案を限定し、或いは範囲を減縮する様に解すべきではない。また、本考案の各部構成は上記実施例に限らず、実用新案登録請求の範囲に記載の技術的範囲内で種々の変形が可能であることは勿論である。
【符号の説明】
【００２７】
(1)     脱臭装置
(3)     本体部
(31)    筐体
(33)    上部
(35)    第１スリット
(37)    側部
(39)    第２スリット
(43)    プロペラ
(5a)    脱臭フィルタ
(5b)    脱臭フィルタ
(5c)    脱臭フィルタ
(51)    凝灰岩片
(53)    容器
【図１】
0003166600.tif 000003
【図２】
0003166600.tif 000004
【図３】
0003166600.tif 000005
【図４】
0003166600.tif 000006